(57)【要約】【課題】本発明は、一つのバンドストッパーにより異なる方向のバンドの縛り状態を固定することができる、バンドストッパーを提供する。【解決手段】本発明に係るバンドストッパーは、物を縛る際に使用されるバンドを固定するバンドストッパーであり、以下の構成部材を備えている。つまり、バンド１０が挿通される環状形状を有する第一の環状部材１と、バンド１０によって物を縛る際に第一の環状部材１とともに使用され、バンド１０が挿通される環状形状を有する第二の環状部材２とを、備えている。【選択図】図１
2013244971.tif 000002
【特許請求の範囲】
【請求項１】
物を縛る際に使用されるバンドを固定するバンドストッパーであって、
前記バンドが挿通される環状形状を有する第一の環状部材と、
前記バンドによって前記物を縛る際に前記第一の環状部材とともに使用され、前記バンドが挿通される環状形状を有する第二の環状部材とを、備えている、
ことを特徴とするバンドストッパー。
【請求項２】
前記第二の環状部材の内周枠部は、
前記第一の環状部材の内周枠部よりも、大きい、
ことを特徴とする請求項１に記載のバンドストッパー。
【請求項３】
前記第一の環状部材と前記第二の環状部材とを接続する連結部材を、さらに備えており、
前記連結部材は、
前記第一の環状部材と前記第二の環状部材とが積層することが可能なように、湾曲可能である、
ことを特徴とする請求項１または請求項２に記載のバンドストッパー。
【請求項４】
前記第一の環状部材および前記第二の環状部材は、
矩形状の枠体形状である、
ことを特徴とする請求項１乃至請求項３の何れかに記載のバンドストッパー。
【請求項５】
前記第一の環状部材の一方の主面を覆うように配設され、外力により凹むことが可能な表面部材を、さらに備えており、
前記表面部材には、
前記バンドが挿通する挿通部が穿設されている、
ことを特徴とする請求項１乃至請求項４の何れかに記載のバンドストッパー。
【請求項６】
前記表面部材は、
前記第一の環状部材の周端縁から中心に向かって、盛り上がる形状を有している、
ことを特徴とする請求項５に記載のバンドストッパー。
【請求項７】
前記第一の環状部材の枠部には、
前記表面部材配設側において、切欠きが形成されている、
ことを特徴とする請求項５または請求項６に記載のバンドストッパー。
【請求項８】
把手を、さらに備えている、
ことを特徴とする請求項１乃至請求項７の何れかに記載のバンドストッパー。
【発明の詳細な説明】
【技術分野】
【０００１】
この発明は、箱、書類などの物をバンドを用いて縛る際に使用される、当該バンドの緊締を固定するバンドストッパーに関するものである。
【背景技術】
【０００２】
梱包等の際に、物をＰＰ（ポリプロビレン）バンドやタフロープなどのバンドを用いて、緊締する。また、当該バンドの緊締を固定するために、バンドストッパーが使用されることがある（たとえば、特許文献１参照）。
【０００３】
特許文献１に係る技術では、バンドストッパーおよび当該バンドストッパーの解除具に関する発明が開示されている。
【先行技術文献】
【特許文献】
【０００４】
【特許文献１】特開２００５−６７７２５号公報
【発明の概要】
【発明が解決しようとする課題】
【０００５】
たとえば、バンドを用いて十字状に箱などを縛る場合、特許文献１に開示されている技術を用いると、一方方向に緊締したバンド用のバンドストッパーと、他方方向（一方方向に垂直な方向）に緊締したバンド用のバンドストッパーとが、必要となる（つまり、二本のバンドと二つのバンドストッパーとが必要となる）。
【０００６】
また、特許文献１に係る技術では、緊締状態のバンドを緩めるために特殊な工具が必要となる。他方、当該特殊な工具を用いない場合には、バンドを切断するしか、緊締を緩める方法がない。当該切断されたバンドは再利用ができないため、当該バンド切断による緊締緩和方法は、不経済である。
【０００７】
そこで、本発明は、一つのバンドストッパーにより異なる方向のバンドの縛り状態を固定することができる、バンドストッパーを提供することを目的とする。さらに、特殊な工具を用いず、またバンドの再利用が可能となるようにバンドの縛り状態を緩和することができる、バンドストッパーを提供することを目的とする。
【課題を解決するための手段】
【０００８】
上記の目的を達成するために、本発明に係るバンドストッパーは、物を縛る際に使用されるバンドを固定するバンドストッパーであって、前記バンドが挿通される環状形状を有する第一の環状部材と、前記バンドによって前記物を縛る際に前記第一の環状部材とともに使用され、前記バンドが挿通される環状形状を有する第二の環状部材とを、備えている。
【発明の効果】
【０００９】
本発明に係るバンドストッパーは、物を縛る際に使用されるバンドを固定するバンドストッパーであって、前記バンドが挿通される環状形状を有する第一の環状部材と、前記バンドによって前記物を縛る際に前記第一の環状部材とともに使用され、前記バンドが挿通される環状形状を有する第二の環状部材とを、備えている。
【００１０】
したがって、各環状部材の挿通部にバンドを通すことにより、一つのバンドストッパーにおいて、異なる方向の緊締を行った各バンドの緊締固定を行うことができる。
【図面の簡単な説明】
【００１１】
【図１】本発明に係るバンドストッパーの構成を示す平面図である。
【図２】本発明に係る第一の環状部材１の構成を示す平面図である。
【図３】本発明に係る表面部材３の構成を示す平面図である。
【図４】本発明に係るバンドストッパーの構成を示す側面図である。
【図５】本発明に係るバンドストッパーを用いた被縛体に対する緊締動作を説明するための図である。
【図６】本発明に係るバンドストッパーを用いた被縛体に対する緊締動作を説明するための図である。
【図７】本発明に係るバンドストッパーを用いた被縛体に対する緊締動作を説明するための図である。
【図８】本発明に係るバンドストッパーを用いた被縛体に対する緊締動作を説明するための図である。
【図９】本発明に係るバンドストッパーを用いたバンドを緩める動作を説明するための図である。
【図１０】本発明に係る第一の環状部材１の他の構成を示す側面図である。
【図１１】把手をさらに備える本発明に係るバンドストッパーの構成を示す側面図である。
【発明を実施するための形態】
【００１２】
以下、この発明をその実施の形態を示す図面に基づいて具体的に説明する。
【００１３】
＜実施の形態＞
図１は、本発明に係るバンドストッパーの全体構成を示す平面図である。また、図２は、バンドストッパーを構成する第一の環状部材１の構成を示す平面図である。図３は、バンドストッパーを構成する表面部材３の構成を示す平面図である。さらに、図４は、本発明に係るバンドストッパーを側方から眺めた場合の全体構成を示す図である。
【００１４】
図１において、表面部材３により覆われていることにより、図１を平面視した場合に視認することができない第一の環状部材１の一部の輪郭は、点線にて図示している。また、図４において、図４においても、側面方向からは直接視認できない構成の輪郭は、点線にて図示している。
【００１５】
本発明に係るバンドストッパーは、バンドを用いて物（被縛体）を縛る際に使用され、当該バンドの緊締状態を固定する。図１，４に示すように、本発明に係るバンドストッパーは、第一の環状部材１、第二の環状部材２、表面部材３および連結部材７から構成されている。ここで、緊締の際に使用されるバンドとして一例を挙げると、ＰＰバンドやタフロープなどである。
【００１６】
図２に示すように、第一の環状部材１は環状の形状を有しており、枠部１ａと挿通部１ｂとを有する。挿通部１ｂは、バンドが図２の表裏方向に貫通することができる空間となっており、当該挿通部１ｂは、枠部１ａにより囲繞されることにより形成されている。図２に例示する第一の環状部材１は、矩形形状である（つまり、図２に例示する構成では、枠部１ａは矩形形状であり、挿通部１ｂは矩形形状の貫通孔である）。また、第一の環状部材１は、たとえばプラスチック製である。
【００１７】
当該第一の環状部材１の第一の主面側において、当該第一の主面全体を覆うように、表面部材３が形成されている（図１，４参照）。表面部材３は、薄膜の柔軟な部材であり、図４に示すように、第一の環状部材１の周端縁から第一の環状部材１の中心に向かって盛り上がった、傾斜形状（山形形状）を有する。また、表面部材３は、ユーザが指で押圧することにより（外力により）、凹むことができる部材である。なお、当該押圧を開放すると、表面部材３は元の傾斜形状（図４に示す盛り上がった山形形状）に戻る。当該表面部材３としては、たとえば薄膜のプラスチック製のものが採用できる。
【００１８】
また、図３に示すように、表面部材３には、４つの挿通部４が穿設されている。各挿通部４は、矩形形状である第一の環状部材１の各辺に対応して配設されている。また、各挿通部４は、図３に示すようにスリット形状の貫通孔である。各挿通部４において、図３の表裏方向にバンドを挿通されることができる。
【００１９】
ここで、第一の環状部材１と表面部材３とは一体構造物として作成しても良く、または、第一の環状部材１と表面部材３との別部材として用意し、第一の環状部材１の第一の主面に表面部材３の平坦面（表面部材３の山形形状の主面に対面する主面）とを接着させても良い。
【００２０】
また、図１，４に示すように、挿通部４は、第一の環状部材１の内周枠部１ｈの延長線上付近の表面部材３に穿設される。
【００２１】
図１に示すように、第二の環状部材２は環状の形状を有しており、枠部２ａと挿通部２ｂとを有する。挿通部２ｂは、バンドが図２の表裏方向に貫通することができる空間となっており、当該挿通部２ｂは、枠部２ａにより囲繞されることにより形成されている。図１に例示する第二の環状部材２は、矩形形状である（つまり、図１に例示する構成では、枠部２ａは矩形形状であり、挿通部２ｂは矩形形状の貫通孔である）。また、第二の環状部材２は、たとえばプラスチック製である。
【００２２】
また、図１に示すように、第二の環状部材２の内周枠部２ｈは、第一の環状部材１の内周枠部１ｈよりも、大きい。つまり、第一の環状部材１の中心部と第二の環状部材２の中心部とが平面視方向で一致するように、第一の環状部材１と第二の環状部材２とを積層させ、当該積層状態を平面視した場合には、第一の環状部材１の内周枠部１ｈは、第二の環状部材２の内周枠部２ｈの内側に存在している。
【００２３】
なお、図１に例示する構成では、第二の環状部材２の外周枠部２ｍは、第一の環状部材１の外周枠部１ｍよりも、大きい。つまり、図１に例示する構成では、第一の環状部材１の中心部と第二の環状部材２の中心部とが平面視方向で一致するように、第一の環状部材１と第二の環状部材２とを積層させ、当該積層状態を平面視した場合には、第一の環状部材１の外周枠部１ｍは、第二の環状部材２の外周枠部２ｍの内側に存在している。
【００２４】
また、図１に例示する構成では、第一の環状部材１の枠部１ａの幅（内周枠部１ｈと外周枠部１ｍとの距離）は、第二の環状部材２の枠部２の幅（内周枠部２ｈと外周枠部２ｍとの距離）よりも、大きくなっている。
【００２５】
また、図１，４に示しているように、第一の環状部材１と第二の環状部材２とは、連結部材７を介して、接続されている。つまり、枠部１ａの一の辺と枠部２ａの一の辺とが隣り合っている状態において、当該連結部材７を介して、枠部１ａの上記一の辺と枠部２ａの上記一の辺とが接続されている。図１，４に示すように、連結部材７は、薄く、細い形状を有している。当該連結部材７は、外力を加えることにより容易に湾曲することができ、当該外力を開放すると、図１，４に示す状態（つまり、湾曲が解放された直線状態）に戻る。なお、図１に例示する構成では、連結部材７は、間隔を隔てて二つ配設されている。
【００２６】
次に、本発明に係るバンドストッパーおよびバンドを用いた、被縛体の緊締動作について、図５〜８を用いて説明する。ここで、図５〜８は、バンドストッパーを側方から眺めた様子を示す図である。なお、バンド１０の図示明確化のために、バンド１０に関しては全て実線にて図示している。
【００２７】
まず、図１，４に示した状態のバンドストッパーにおいて、連結部材７を湾曲させ、図５に示すように、第一の環状部材１と第二の環状部材２とが、図５の上下方向に並ぶ状態を作成する。ここで、連結部材７は、第一の環状部材１と第二の環状部材２とが積層することが可能なように、湾曲可能である。
【００２８】
なお、ここでの説明では、第一の環状部材１と第二の環状部材２とが図５の上下方向に並ぶ状態を、「積層状態」と称する。当該積層状態において、第一の環状部材１の第二の主面と第二の環状部材２の第一の主面とは、接していても、接していなくてもよい。つまり、図５に示すように、積層状態において、第一の環状部材１の第二の主面と第二の環状部材２の第一の主面との間に、隙間が存在しても、隙間が存在していても良い。
【００２９】
上述したように、第一の環状部１の第一主面には表面部材３が配設されているが、図５に示す状態では、第一の環状部材１の第一の主面に対向する第二の主面は、第二の環状部材２の第一の主面と対面している。また、第二の環状部材２の第一の主面に対抗する第二の主面側には、被縛体（図示せず）が配置される。
【００３０】
なお、図５に示すように、連結部材７が湾曲することにより、第一の環状部材１と第二の環状部材２とが上下方向に並ぶ状態（積層状態）が形成される。
【００３１】
次に、図６に示すように、上記積層状態が形成されたバンドストッパーにおいて、第二の環状部材２の第二の主面側から、挿通部２ｂ、挿通部１ｂおよびある一つの挿通部４を当該順に貫通するように、バンド１０を移動させる。当該バンド１０の移動により、図６に示すように、バンド１０の一方端は表面部材３から突出する。
【００３２】
次に、図７に示すように、上記積層状態が形成されたバンドストッパーにおいて、バンドの一方端を、バンドストッパーの外側から、第一の環状部材１の第二の主面と第二の環状部材２の第一の主面との間に存する隙間に挿通させる。
【００３３】
次に、図８に示すように、上記積層状態が形成されたバンドストッパーにおいて、バンドの一方端を、第二の環状部材２の挿通部２ｂ内に入れる。その後、バンド１０を、第二の環状部材２の挿通部２ｂを挿通させ、第二の環状部材２の第二の主面側から出力する（図８参照）。そして、第二の環状部材２の第二の主面側から出力したバンド１０の一方端を、バンドストッパーの外側に向かって引張る（図８参照）。
【００３４】
その後、バンド１０を被縛体を周回させ、図５〜８に示したバンドストッパーの右側（連結部材７の配設側）に移動させる。その後、バンドストッパーの右側（連結部材７の配設側）において、図６，７，８で説明した内容と同様の緊締処理を施す。その後、バンド１０を強く縛ることにより、被縛体に対する一の方向のバンド１０による緊締、および緊締状態のバンド１０のバンドストッパーによる固定が完了する。
【００３５】
なお、バンドストッパー内を通ったバンド１０を強く引張るだけで、バンド１０の緊締状態を固定することができる。
【００３６】
ここで、被縛体に対する二本のバンド１０を用いた縦横方向の緊締を行う場合には、被縛体に対する他の方向（上記一の方向に垂直な方向）の他のバンド１０による緊締、および緊締状態の他のバンド１０のバンドストッパーによる固定動作も、図６〜８と同様の動作である。
【００３７】
たとえば、上記一の方向におけるバンド１０の緊締処理の際に、図１に示す表面部材３の左右に配設された挿通部４を各々使用する場合には、上記他の方向における他のバンド１０の緊締処理の際には、図１に示す表面部材３の上下に配設された挿通部４を各々使用する。
【００３８】
次に、バンドストッパーを利用したバンド１０の緊締解除（バンドを緩める）動作について、図９を用いて説明する。ここで、図９は、バンドストッパーを構成する表面部材３の周辺構成を示す拡大図である。なお、バンド１０の図示明確化のために、バンド１０に関しては実線にて図示している。
【００３９】
バンド１０の緊締状態がバンドストッパーにより固定されている状態において、図９に示すように、表面部材３の山形形状の主面部を第一の環状部材１の配設側に向かって、指などで押圧する。当該押圧により、図９に示すように、表面部材３は、第一の環状部材１の挿通部１ｂ内にめり込む。なお、当該挿通部１ｂ内にめり込んだ表面部材３の輪郭は、図９において点線にて図示している。
【００４０】
図９から分かるように、表面部材３の山形形状の主面部を押圧することにより、表面部材３は押し下げられ、表面部材３の当該山形形状の主面部側において、バンド１０の緩みが生じる。当該バンド１０の緩み発生により、容易に、バンド１０の緊締を解除することができ、バンド１０の取り外しが可能となる。
【００４１】
なお、表面部材３は柔軟な部材であり、当該押圧を解除することにより、表面部材３は押圧前の状態に戻る（図４に示すように、表面部材３は、山形形状の主面を有する状態に戻る）。
【００４２】
上記のように、本発明に係るバンドストッパーでは、二つの環状部材１，２により構成されている。したがって、各環状部材１，２の挿通部１ｂ，２ｂにバンド１０を通すことにより、一つのバンドストッパーにおいて、異なる方向の緊締を行った各バンド１０の緊締固定を行うことができる。
【００４３】
特に、各環状部材１，２が矩形状である場合には、一つのバンドストッパーにおいて、被縛体に対して縦方向に緊締した一方のバンド１０の緊締固定、および被縛体に対して横方向に緊締した他方のバンド１０の緊締固定を、行うことができる（つまり、一つのバンドストッパーにおいて、２方向に緊締された各バンド１０の緊締固定を行われる）。
【００４４】
また、本発明に係るバンドストッパーでは、図１，５〜８に示すように、第二の環状部材２の内周枠部２ｈは、第一の環状部材１の内周枠部１ｈよりも、大きい。したがって、本願発明に係るバンドストッパーを利用したバンド１０の緊締動作を容易に行うことができ、かつ、バンドストッパー内を通したバンド１０を強く縛るだけで、特別な部材を要することなく、バンド１０緊締状態の固定も維持することができる。
【００４５】
また、本発明に係るバンドストッパーでは、連結部材７により、第一の環状部材１と第二の環状部材２とが接続されている。これにより、本発明に係るバンドストッパーを構成する各部材の紛失を防止できると共に、本発明に係るバンドストッパーの持ち運びも容易となる。
【００４６】
さらに、本発明に係るバンドストッパーでは、連結部材７は、第一の環状部材１と第二の環状部材２とが積層することが可能なように、湾曲可能である。したがって、図５に示した、第一の環状部材１と第二の環状部材２とが積層する状態を、連結部材７による上記接続関係を維持しながら、作成することができる。
【００４７】
また、本発明に係るバンドストッパーでは、第一の環状部材１の第一の主面を覆うように表面部材３が配設されており、当該表面部材３は外力により凹むことが可能である。ここで、表面部材３には、バンド１０が挿通する挿通部４が穿設されている。したがって、表面部材３を押圧するだけで、バンド１０の緊締を緩めることができる。よって、バンド１０を切断することなく、バンド１０を取り外すことが可能となり、当該取り外されたバンド１０の再利用も可能となる。また、特別な工具（バンド解除部材）を用いることなく、バンド１０を取り外すことができる。
【００４８】
また、本発明に係るバンドストッパーでは、表面部材３は、図４に示すように、第一の環状部材１の周端縁から中心に向かって、盛り上がる形状を有している（つまり、山形形状の第一の主面を有する）。したがって、表面部材３の第一の主面の傾斜に沿ったバンド１０の緊締が可能となり、バンド１０を強く縛ったとしても、表面部材１０が下方向に押し下げられることを抑制できる。また、当該山形形状の第一の主面を押圧することにより、挿通部４付近におけるバンド１０の緩み具合を大きくすることができる。
【００４９】
なお、図４〜８に示した構成と異なり、第一の環状部材１の枠部１ａには、表面部材３が配設される第一の主面側において、切欠きが形成されていても良い。切欠きが形成された枠部１ａを有する第一の環状部材１の構成を、図１０に示す。図１０は、第一の環状部材１を側方から視認した状態を示す図である。
【００５０】
ここで、図１０に示す点線輪郭は、側方外側からは直接視認することができない部分を示している。
【００５１】
図１０に示す第一の環状部材１では、枠部１ａにおいて、切欠き１ｒが形成されている。つまり、枠部１ａの内周枠部１ｈは、第一の環状部材１の第二の主面側から挿通部１ｂ内に渡って、当該第二の主面に対して垂直形成されている。そして、当該内周枠部１ｈと接続するように、切欠き１ｒが枠部１ａに設けられている。ここで、切欠き１ｒは、図１０に示すように、挿通部１ｂ内から第一の環状部材１の第一の主面にかけて、挿通部１ｂの開口部が広がるように、テーパ状に枠部１ａに設けられている。
【００５２】
なお、図示は省略しているが、図１０に示す内周枠部１ｈの延長線上付近には、表面部材３に穿設された挿通部４が存在する。なお、枠部１ａ以外のバンドストッパーの構成については、上記説明した内容と同様である。
【００５３】
図１０に示すように、第一の環状部材１の枠部１ａには、表面部材３の配設側において、切欠き１ｒが形成されている。したがって、バンド１０を緩める際に表面部材３を押圧すると、当該押圧により、枠部１ａに切欠き１ｒが形成されていない構成（図４等）と比較して、表面部材３をより深く、第一の環状部材１の挿通部１ｂ内に沈ませることができる。特に、表面部材３の挿通部４付近における表面部材３の沈み具合を、より大きく取ることが可能となる。これにより、表面部材３の押圧により、表面部材３がより深く第一の環状部材１側に沈み込むので、バンド１０の弛みがより大きくなり、バンド１０の取り外しかより容易となる。
【００５４】
なお、図１１に示すように、バンドストッパーに把手２０を設けても良い。図１１に示すように、第一の環状部材１の第一の主面側において、把手２０が配設されている。たとえば、把手２０は、第一の環状部材１の一方の角部から、当該一方の角部に対向する他方の角部に渡って、上方向に湾曲する線状部材とすることができる。
【００５５】
ここで、図１１に示す構成例では、第一の環状部材１は、図１０に示す切欠き１ｒを有する枠部１ａが形成されている。
【００５６】
このように、バンドストッパーに把手２０を設けることにより、バンドストッパーの持ち運びが容易となる。
【００５７】
また、色々なサイズのバンドストッパーを用意しておくことにより、バンド１０の種類に応じて、適切なサイズのバンドストッパーを用いることができる。たとえば、ＰＰバンドでは、少し大きめのバンドストッパーを用い、タフロープなどの紐状のバンドでは、前記より小さめのバンドストッパーを用いる。
【００５８】
なお、バンド１０の緊締を完全に固定するためには、たとえば、表面に複数の刻み目が形成されたバンド１０を用いて、緊締処理を行うことが好ましい。
【符号の説明】
【００５９】
１  第一の環状部材
１ａ  枠部
１ｂ  挿通部
１ｈ  内周枠部
１ｍ  外周枠部
１ｒ  切欠き
２  第二の環状部材
２ａ  枠部
２ｂ  挿通部
２ｈ  内周枠部
２ｍ  外周枠部
３  表面部材
４  挿通部
７  連結部材
１０  バンド
２０  把手
【図１】
2013244971.tif 000003
【図２】
2013244971.tif 000004
【図３】
2013244971.tif 000005
【図４】
2013244971.tif 000006
【図５】
2013244971.tif 000007
【図６】
2013244971.tif 000008
【図７】
2013244971.tif 000009
【図８】
2013244971.tif 000010
【図９】
2013244971.tif 000011
【図１０】
2013244971.tif 000012
【図１１】
2013244971.tif 000013